(57)【要約】【課題】管理端末の管理外での画像処理装置の使用を抑制することが可能な画像処理装置、及び、プログラムを提供する．【解決手段】画像処理装置３は、通信端末５と通信する通信部２９と、通信端末から受信した指令に基づき画像処理を実行する実行部２３と、実行部が、管理端末５Ａとしての通信端末を経由しない指令に基づく画像処理の実行を許可するか否かを判断する判断部１１と、前記判断部が不許可と判断した場合には、前記指令に基づく前記画像処理を禁止する制御部１１と、を備える、【選択図】図２
2010198334.tif 000002
【特許請求の範囲】
【請求項１】
通信端末からの指令に基づき画像処理を実行する画像処理装置であって、
前記通信端末と通信する通信部と、
前記通信端末から受信した前記指令に基づき前記画像処理を実行する実行部と、
前記実行部が、管理端末としての通信端末を経由しない前記指令に基づく前記画像処理の実行を許可するか否かを判断する判断部と、
前記判断部が不許可と判断した場合には、管理端末を経由しない前記指令に基づく前記画像処理を禁止する制御部と、を備える、画像処理装置。
【請求項２】
請求項１に記載の画像処理装置であって、
前記制御部は、前記判断部が前記不許可と判断した場合には、前記管理端末を経由して前記指令を送信する設定をするための設定情報を、前記通信部を介して前記通信端末に送信する、画像処理装置。
【請求項３】
請求項１または請求項２に記載の画像処理装置であって、
前記制御部は、前記判断部が不許可と判断した場合には、前記指令を前記管理端末から受信したか否かを判定し、肯定判定のときに前記画像処理を許可し、否定判定のときには前記画像処理を禁止する、画像処理装置。
【請求項４】
請求項１から請求項３のいずれか一項に記載の画像処理装置であって、
前記制御部は、前記判断部が不許可と判断した場合には、前記管理端末と接続されていない前記通信部での通信を無効化することで前記画像処理を禁止する、画像処理装置。
【請求項５】
請求項１から請求項４のいずれか一項に記載の画像処理装置であって、
前記判断部が不許可と判断した場合に、前記実行部による実行を許可しないことに関する不許可情報を記憶する記憶部を備え、
前記判断部は、前記不許可情報に基づき前記判断を行う、画像処理装置。
【請求項６】
前記画像処理装置に通信可能に接続される通信端末のコンピュータに、
前記画像処理装置に画像処理を実行させるための指令を送信する送信処理と、
前記画像処理が管理端末としての通信端末を経由しない前記指令に基づく前記画像処理の実行を許可するか否かを判断する判断処理と、
前記判断処理で不許可と判断した場合に、管理端末を経由せずに前記指令を前記画像処理装置に送信することを禁止する禁止処理と、
を実行させる、プログラム。
【請求項７】
請求項６に記載のプログラムであって、
前記送信処理において、前記判断処理で不許可と判断した場合には、前記指令を前記管理端末経由で前記画像処理装置に送信する送信処理を実行させる、プログラム。
【請求項８】
前記画像処理装置に通信可能に接続される通信端末のコンピュータに、
前記画像処理装置の画像処理が管理端末としての通信端末を経由しない前記指令に基づく前記画像処理の実行を許可するか否かを判断する判断処理と、
前記判断処理で不許可と判断した場合に、管理端末を経由せずに前記指令を前記画像処理装置に送信する設定で、前記指令を送信するプログラムをインストールすることを禁止する禁止処理と、
を実行させる、プログラム。
【請求項９】
請求項８に記載のプログラムであって、
前記コンピュータに、
前記判断処理で不許可と判断した場合に、前記指令を前記管理端末経由で前記画像処理装置に送信する設定にする設定処理を実行させる、プログラム。
【発明の詳細な説明】
【技術分野】
【０００１】
本発明は、画像処理装置、及び、プログラムに関する。
【背景技術】
【０００２】
例えばオフィスなどでは、複数の通信端末と、画像形成装置などの画像処理装置とがネットワークを介して接続されており、各通信端末から画像処理装置を共同で使用（共有）できる構成が構築されている。そして、従来から、このような構成において各通信端末による画像処理装置の使用を管理する技術が提案されている。
【０００３】
その一例として、ネットワーク上の画像形成装置を不正なＩＤによって使用されることを防止するための画像形成装置管理システムがある（特許文献１）。具体的には、この画像形成装置管理システムは、あるユーザが一のコンピュータ（通信端末）にて自己の特定コードを入力し、データベースサーバ（管理端末）にアクセスしてプリンタドライバをインストールする際に、上記特定コードが、データベースサーバに予め記憶された識別コードと一致する場合に限り、プリンタドライバのインストールを許可する構成になっている。
【０００４】
ところが、上記画像形成装置管理システムでは、プリンタドライバを、データベースサーバにアクセスせずに別途入手して一のコンピュータにインストールすることが可能な場合には、データベースサーバによる管理を経由せずに画像形成装置を自由に使用できてしまう。
【先行技術文献】
【特許文献】
【０００５】
【特許文献１】特開２００２−１６９６７３号公報
【発明の概要】
【発明が解決しようとする課題】
【０００６】
本発明は上記のような事情に基づいて完成されたものであって、その目的は、管理端末の管理外での画像処理装置の使用を抑制することが可能な画像処理装置、及び、プログラムを提供するところにある。
【課題を解決するための手段】
【０００７】
上記の目的を達成するための手段として、第１発明に係る画像処理装置は、通信端末からの指令に基づき画像処理を実行する画像処理装置であって、前記通信端末と通信する通信部と、前記通信端末から受信した前記指令に基づき前記画像処理を実行する実行部と、前記実行部が、管理端末としての通信端末を経由しない前記指令に基づく前記画像処理の実行を許可するか否かを判断する判断部と、前記判断部が不許可と判断した場合には、管理端末を経由しない前記指令に基づく前記画像処理を禁止する制御部と、を備える。
【０００８】
この発明によれば、画像処理装置は、判断部が不許可と判断した場合には、管理端末を経由しない指令に基づく画像処理を禁止する。これにより、管理端末の管理外での画像処理装置の使用を抑制することが可能である。
【０００９】
第２発明は、第１の発明の画像処理装置であって、前記制御部は、前記判断部が前記不許可と判断した場合には、前記管理端末を経由して前記指令を送信する設定をするための設定情報を、前記通信部を介して前記通信端末に送信する。
【００１０】
この発明によれば、画像処理装置は、通信端末に対し、管理端末を経由して指令を送信する設定をするための設定情報を送信する。これにより、仮に、指令を画像処理装置に直接送信する設定が通信端末でされたとしても、管理端末を経由して指令を送信する設定に変更することが可能である。
【００１１】
第３の発明は、第１または第２の発明の画像処理装置であって、前記制御部は、前記判断部が不許可と判断した場合には、前記指令を前記管理端末から受信したか否かを判定し、肯定判定のときに前記画像処理を許可し、否定判定のときには前記画像処理を禁止する。
この発明によれば、指令を管理端末以外から受信した場合に画像処理を禁止することにより、管理端末の管理外での画像処理装置の使用を抑制することが可能である。
【００１２】
第４の発明は、第１から第３のいずれか一つの発明の画像処理装置であって、前記制御部は、前記判断部が不許可と判断した場合には、前記管理端末と接続されていない前記通信部での通信を無効化することで前記画像処理を禁止する。
【００１３】
この発明によれば、前記管理端末と接続されていない通信を無効化することにより、管理端末の管理外での画像処理装置の使用を抑制することが可能である。
【００１４】
第５の発明は、第１から第４のいずれか一つの発明の画像処理装置であって、前記判断部が不許可と判断した場合に、前記実行部による実行を許可しないことに関する不許可情報を記憶する記憶部を備え、前記判断部は、前記不許可情報に基づき前記判断を行う。
【００１５】
この発明では、画像処理装置は、自己が実行部による実行が許可されていない場合に不許可情報が記憶部に記憶される。従って、画像処理装置は、外部から不許可情報を取得できない環境下でも、自己が許可されているか否かを判断し、管理端末の管理外での画像処理装置の使用を抑制することが可能である。
【００１６】
第６の発明のプログラムは、前記画像処理装置に通信可能に接続される通信端末のコンピュータに、前記画像処理装置に画像処理を実行させるための指令を送信する送信処理と、前記画像処理が管理端末としての通信端末を経由しない前記指令に基づく前記画像処理の実行を許可するか否かを判断する判断処理と、前記判断処理で不許可と判断した場合に、管理端末を経由せずに前記指令を前記画像処理装置に送信することを禁止する禁止処理と、を実行させる。
【００１７】
この発明によれば、通信端末は、画像処理装置の画像処理が不許可とされている場合には、その画像処理を実行させるための指令を、管理端末を経由せずに画像処理装置に送信することを自発的に禁止する。これにより、仮に、通信端末にて指令を画像処理装置に直接、送信する設定がされたとしても、管理端末の管理外での画像処理装置の使用を抑制することが可能である。
【００１８】
第７の発明は、第６の発明のプログラムであって、前記送信処理において、前記判断処理で不許可と判断した場合には、前記指令を強制的に前記管理端末経由で前記画像処理装置に送信する。
【００１９】
この発明によれば、仮に、通信端末にて指令を画像処理装置に直接、送信する設定がされたとしても、画像処理の使用の余地を残しつつ、その使用を管理端末にて管理することが可能である。
【００２０】
第８の発明のプログラムは、前記画像処理装置に通信可能に接続される通信端末のコンピュータに、前記画像処理装置の画像処理が管理端末としての通信端末を経由しない前記指令に基づく前記画像処理の実行を許可するか否かを判断する判断処理と、前記判断処理で不許可と判断した場合に、前記画像処理を実行するための指令を前記共有設定における管理端末を経由せずに前記指令を前記画像処理装置に送信する設定で、前記指令を送信するプログラムをインストールすることを禁止する禁止処理と、を実行させる。
【００２１】
この発明によれば、通信端末に指令を送信するプログラムをインストールする際、画像処理装置の画像処理が不許可とさていれば、その画像処理を実行させるための指令を、管理端末を経由せずに画像処理装置に送信する設定でのインストールを禁止する。これにより、管理端末の管理外での画像処理装置の使用を抑制することが可能である。
【００２２】
第９の発明は、第８の発明のプログラムであって、前記コンピュータに、前記判断処理で不許可と判断した場合に、前記指令を前記管理端末経由で前記画像処理装置に送信する設定にする設定処理を実行させる。
この発明によれば、管理端末の管理外での画像処理装置の使用を抑制することが可能である。
【発明の効果】
【００２３】
本発明によれば、管理端末の管理外での画像処理装置の使用を抑制することが可能である。
【図面の簡単な説明】
【００２４】
【図１】本発明の実施形態１に係る画像形成システムの電気的構成を示すブロック図
【図２】共有設定処理を示すフローチャート
【図３】設定変更処理を示すフローチャート
【図４】実行指令受信処理を示すフローチャート
【図５】実施形態２の実行指令送信処理を示すフローチャート
【図６】実施形態３のインストール処理を示すフローチャート
【発明を実施するための形態】
【００２５】
＜実施形態１＞
本発明の実施形態１について図１から図４を参照して説明する。
【００２６】
（１）画像形成システムの電気的構成
図１は、画像形成システム１の電気的構成を示すブロック図である。
画像形成システム１は、画像形成装置３（画像処理装置）と、複数台（図１には２台図示）の通信端末５（例えばパーソナルコンピュータ）とがネットワーク回線Ｌを介して接続された構成になっている。
【００２７】
（１−１）画像形成装置
画像形成装置３は、例えば印刷機能、コピー機能、ファクシミリ機能などを有する複合機であり、ＣＰＵ１１（判断部、制御部）、ＲＯＭ１３、ＲＡＭ１５、ＮＶＲＡＭ１７（不揮発性メモリ）、操作部１９、表示部２１、印刷部２３、スキャナ部２５、ファクシミリ部２７、通信部２９等を備えている。
【００２８】
ＲＯＭ１３には、画像形成装置３の基本的な動作を制御するプログラムの他、後述するサーバ管理強制処理のプログラムなどが記録されており、ＣＰＵ１１は、ＲＯＭ１３から読み出したプログラムに従って、その処理結果をＲＡＭ１５やＮＶＲＡＭ１７に記憶させながら、画像形成装置３の動作を制御する。
【００２９】
操作部１９は、複数のボタン等を有し、ユーザによって画像処理の実行指令や、後述する共有設定などの各種の入力操作が可能である。画像処理には、印刷処理、スキャナ（画像読取）処理、ファクシミリ通信処理（ＰＣファックス処理）等が含まれる。表示部２１は、液晶ディスプレイやランプからなり、各種の設定画面や動作状態等を表示することが可能である。
【００３０】
印刷部２３（実行部）は、印刷処理の実行指令を、操作部１９から受けたとき、または、通信端末５から通信部２９を介して受信したときに、印刷データに基づき用紙への印刷を実行する。スキャナ部２５（実行部）は、スキャナ処理の実行指令を、操作部１９から受けたとき、または、通信端末５から通信部２９を介して受信したときに、画像形成装置３の図示しない原稿台に配置された原稿の画像を読み取って印刷データを生成する。ファクシミリ部２７（実行部）は、ファクシミリ通信処理の実行指令を、操作部１９から受けたとき、または、通信端末５から通信部２９を介して受信したときに、図示しない電話回線を通じて他のファクシミリ装置との間でファクシミリデータのやり取りを行う。
【００３１】
通信部２９は、ネットワークポート（例えばＬＡＮポート）、及び、ローカルポート（例えばＵＳＢポート）など、複数の通信ポートを備える。図１では、ネットワークポートがネットワーク回線Ｌに接続されており、画像形成装置３は、各通信端末５との間でデータの相互通信が可能になっている。
【００３２】
（１−２）通信端末
各通信端末５は、ＣＰＵ３１、ＲＯＭ３３、ＲＡＭ３５、ハードディスク３７、操作部３９、表示部４１、ネットワークインターフェイス４３等を備えている。ハードディスク３７には、印刷データを作成するためのアプリケーションソフトやプリンタドライバなどの各種プログラムが記憶されている。操作部３９はキーボードやポインティングデバイスを備え、表示部４１は例えば液晶ディスプレイ等を備える。また、ネットワークインターフェイス４３はネットワーク回線Ｌに接続される。
【００３３】
（２）プリンタ共有について
画像形成システム１では、例えば通信端末５Ａがサーバ端末（管理端末）とされ、このサーバ端末５Ａにて、他の通信端末５（以下、「クライアント端末５Ｂ」ということがある）による画像形成装置３の利用を一括管理することが要請されているものとする。プリンタ共有の機能は、この一括管理を行うために利用される。
【００３４】
具体的には、例えば管理者は、サーバ端末５Ａで画像形成装置３についてプリンタ共有を設定し、クライアント端末５Ｂで画像形成装置３のプリンタドライバを共有クライアントしてインストールする。これにより、クライアント端末５Ｂからの各種の実行指令（印刷データ、スキャンデータ、ファクシミリデータなどを含んでもよい）が、サーバ端末５Ａを経由して画像形成装置３に送信される。従って、サーバ端末５Ａは、上記実行指令に基づき特定ユーザによる画像形成装置３の使用を制限したり、印刷枚数をカウントしたりするなど、各種の管理を行うことができる。
【００３５】
ところが、従来は、プリンタ共有を設定しても、サーバ端末５Ａの管理外でクライアント端末５Ｂから画像形成装置３を使用すること、つまり、クライアント端末５Ｂからの実行指令を、サーバ端末５Ａを経由せずに画像形成装置３に送信することが容易であった。例えばクライアント端末５Ｂに、画像形成装置３のプリンタドライバを自由にインストール可能である場合には、そのインストールの際にピアツーピアの形態（実行指令を画像形成装置３に直接送信する形態の一例）を指定することで、サーバ端末５Ａの管理外で画像形成装置３を使用することが可能になる。また、クライアント端末５Ｂと画像形成装置３とをＵＳＢケーブル等によりローカル接続することで、サーバ端末５Ａの管理外で画像形成装置３を使用することが可能になる。このため、従来のプリンタ共有だけでは、サーバ端末５Ａによる一括管理を徹底することができないおそれがあった。そこで、画像形成システム１は、上記一括管理を強制するために、次に説明するサーバ管理強制処理を実行する。
【００３６】
（３）サーバ管理強制処理
図２〜図４は、サーバ管理強制処理の内容を示すフローチャートである。サーバ管理強制処理には「共有設定処理」、「実行指令受信処理」が含まれる。
【００３７】
（３−１）共有設定処理
図２は、画像形成装置３のＣＰＵ１１が実行する共有設定処理を示すフローチャートであり、図３は、クライアント端末５ＢのＣＰＵ３１が実行する設定変更処理を示すフローチャートである。ＣＰＵ１１は、例えば画像形成装置３の起動後、定期的に共有設定処理を実行する。
【００３８】
Ｓ１で共有設定されたか否かを判断する。このときＣＰＵ１１は「判断部」として機能する。ここで、「共有設定」とは、画像形成装置３に対し、サーバ端末５Ａを経由しない実行指令に基づく画像処理の実行を許可しない旨の設定である。例えば管理者がサーバ端末５Ａの操作部３９や、画像形成装置３の操作部１９にて、共有設定の入力操作を行うことができる。
【００３９】
ＣＰＵ１１は、サーバ端末５Ａにて共有設定の入力操作が行われた場合、サーバ端末５Ａに共有設定されたか否かを問い合わせ、その回答に基づきＳ１の判断を行う。また、画像形成装置３にて共有設定の入力操作が行われた場合、その入力操作に基づきＳ１の判断を行う。そして、ＣＰＵ１１は、共有設定されたと判断した場合には（Ｓ１：ＹＥＳ）Ｓ３に進む。
【００４０】
Ｓ３では、通信部２９の上記ローカルポートによる通信（「前記管理端末と接続されていない通信部での通信」の一例）を無効化することで画像処理を禁止する。無効化する方法としては、例えばローカルポートからの受信を拒否してもよいし、受信は許可するが受信した実行指令を破棄してもよい。
【００４１】
これにより、サーバ端末５Ａ以外の通信端末５が画像形成装置３にローカル接続されたとしても、その通信端末５から画像形成装置３に実行指令を直接送信することが不能となる。そのため、サーバ端末５Ａの管理外で当該通信端末５から画像形成装置３を使用することを抑制することができる。ＣＰＵ１１は、続いてＳ５に進む。
【００４２】
Ｓ５では、クライアント端末５Ｂに強制設定情報（「設定情報」の一例）を、ネットワーク回線Ｌを介して送信し、本共有設定処理を終了する。強制設定情報とは、クライアント端末５Ｂに対し、サーバ端末５Ａを経由して実行指令を送信する設定を強制するための情報である。なお、共有設定が画像形成装置３側で行われた場合には、サーバ端末５Ａにも強制設定情報を送信する。
【００４３】
一方、クライアント端末５ＢのＣＰＵ３１は、図３のＳ１１で強制設定情報を受信すると、Ｓ１３で、その強制設定情報に基づき画像形成装置３のプリンタドライバの設定変更を強制的に実行する。これにより、仮に、クライアント端末５Ｂにおいてピアツーピアの形態が既に指定されていたとしても、実行指令を、サーバ端末５Ａを経由して送信する共有設定に強制的に変更させることができる。
【００４４】
（３−２）実行指令受信処理
図４は、画像形成装置３のＣＰＵ１１が実行する実行指令受信処理を示すフローチャートである。ＣＰＵ１１は、通信端末５から実行指令を受けるごとに、実行指令受信処理を実行する。
【００４５】
Ｓ２１で、画像形成装置３が共有設定されているか否かを判断する。ＣＰＵ１１は、共有設定されていなければ（Ｓ２１：ＮＯ）、Ｓ２７で、受信した実行指令に基づく画像処理の実行を許可し、本実行指令受信処理を終了する。例えば実行指令が印刷要求であれば、印刷部２３による印刷処理を実行させる。一方、共有設定されていれば（Ｓ２１：ＹＥＳ）、Ｓ２３に進む。
【００４６】
Ｓ２３では、上記実行指令をサーバ端末５Ａから受信したか否かを判定する。この判定は、例えば実行指令に付加された送信元情報（例えばユーザ名や、通信端末名など）に基づき行うことが可能である。また、例えばサーバ端末５Ａが、自己経由で画像形成装置３に送信する実行指令に所定の付加情報（フラグなど）を付加する構成とし、その付加情報の有無により上記判定をしてもよい。
【００４７】
そして、ＣＰＵ１１は、実行指令をサーバ端末５Ａから受信したとの肯定判定をした場合には（Ｓ２３：ＹＥＳ）、この実行指令は、サーバ端末５Ａでの入力操作に基づき送信されたもの、或いは、クライアント端末５Ｂからサーバ端末５Ａ経由で送信されたものとみなすことができる。そこで、Ｓ２７で画像処理を許可し（Ｓ２７）、本実行指令受信処理を終了する。
【００４８】
一方、実行指令をサーバ端末５Ａから受信していないとの否定判定をした場合には（Ｓ２３：ＮＯ）、サーバ端末５Ａの管理外で画像形成装置３が使用されるおそれがあるとみなすことができる。そこで、Ｓ２５で画像処理の実行を禁止し、本実行指令受信処理を終了する。
【００４９】
例えば上述の共有設定処理の後に、クライアント端末５Ｂにおいて、画像形成装置３のプリンタドライバが、ピアツーピアの形態を指定してインストールされることもあり得る。このような場合でも、実行指令受信処理により、サーバ端末５Ａを経由しない実行指令に基づく画像処理を禁止し、サーバ端末５Ａの管理外で画像形成装置３が使用されることを抑制することができる。
【００５０】
＜実施形態２＞
図５は実施形態２を示す。前記実施形態１は、サーバ管理を強制するための処理を主として画像形成装置３で行う構成である。これに対し、本実施形態２はクライアント端末５Ｂ側で行う構成である。その他の点は前記実施形態１と同様である。従って、実施形態１と同一符号を付して重複する説明を省略し、異なるところのみを次に説明する。
【００５１】
図５は、クライアント端末５ＢのＣＰＵ３１が実行する実行指令送信処理を示すフローチャートである。ＣＰＵ１１は、画像形成装置３のプリンタドライバ（「指令を送信するプログラム」の一例）の一処理として、実行指令送信処理を実行する。なお、実行指令送信処理プログラムは、上記プリンタドライバに組み込まれており、このプリンタドライバとともにクライアント端末５Ｂにインストールされる。
【００５２】
Ｓ３１で、起動されたプリンタドライバに対応する画像形成装置３が共有設定されているか否かを判断する（「判断処理」の一例）。この判断は、サーバ端末５Ａまたは画像形成装置３に共有設定されたか否かを問い合わせ、その回答に基づき行うことができる。
【００５３】
そして、共有設定されていなければ（Ｓ３１：ＮＯ）、Ｓ３５で実行指令を直接、画像形成装置３に送信し、本実行指令送信処理を終了する。一方、共有設定されていれば（Ｓ３１：ＹＥＳ）、Ｓ３３で実行指令をサーバ端末５Ａに送信し、本実行指令送信処理を終了する。これにより、実行指令は、強制的にサーバ端末５Ａ経由で画像形成装置３に送信されることになる。換言すれば、実行指令を、サーバ端末５Ａを経由しないで画像形成装置３に送信することが禁止される（「送信処理、禁止処理」の一例）。
【００５４】
本実施形態によれば、クライアント端末５Ｂは、共有設定されている場合には、実行指令を、サーバ端末５Ａを経由せずに画像形成装置３に送信することを自発的に禁止する。従って、仮に、通信端末５Ｂにてピアツーピアの形態が指定されていたとしても、サーバ端末５Ａの管理外で画像形成装置３が使用されることを抑制することができる。しかも、実行指令の送信を、単に禁止するのではなく、強制的にサーバ端末５Ａ経由で画像形成装置３に送信する。従って、仮に、通信端末５Ｂにてピアツーピアの形態が指定されていたとしても、上記実行指令に基づく画像処理の実行の余地を残しつつ、その使用をサーバ端末５Ａにて管理することが可能である。
【００５５】
＜実施形態３＞
図６は実施形態３を示す。前記実施形態１は、サーバ管理を強制するための処理を主として画像形成装置３で行う構成である。これに対し、本実施形態３はクライアント端末５Ｂ側で行う構成である。その他の点は前記実施形態１と同様である。従って、実施形態１と同一符号を付して重複する説明を省略し、異なるところのみを次に説明する。
【００５６】
図６は、クライアント端末５ＢのＣＰＵ３１が実行するインストール処理を示すフローチャートである。但し、同図ではインストール処理のうち一般的な処理は省略されている。ＣＰＵ１１は、画像形成装置３のプリンタドライバをインストールする際にインストール処理を実行する。なお、このインストール処理のプログラム（インストーラ）はプリンタドライバのプログラムに附属されている。
【００５７】
Ｓ４１で、利用者による操作部３９での操作に基づき、インストールの設定項目として通信ポートを指定し、Ｓ４３に進む。
【００５８】
Ｓ４３では、指定された通信ポートから画像形成装置３を特定し、当該画像形成装置３が共有設定されているか否かを判断する（「判断処理」の一例）。サーバ端末５Ａに共有設定の情報が記憶されている場合には、サーバ端末５Ａに共有設定されたか否かを問い合わせ、その回答に基づきＳ４３の判断を行う。また、画像形成装置３に共有設定に関する情報が記憶されている場合には、画像形成装置３に共有設定されたか否かを問い合わせ、その回答に基づきＳ４３の判断を行う。
【００５９】
そして、共有設定されていなければ（Ｓ４３：ＮＯ）、Ｓ４７でピアツーピアを指定してインストールすることを許可し、プリンタドライバをインストールした後に本インストール処理を終了する。一方、共有設定されていれば（Ｓ４３：ＹＥＳ）、Ｓ４５でピアツーピアやローカルポートを指定してインストールすることを禁止する（「禁止処理」の一例）。その一例としては、インストール自体を禁止する方法がある。また、例えばインストールの設定画面においてピアツーピア等を指定不可とすることで、共有クライアントとしてのインストールを強制する方法でもよい（「強制処理」の一例）。
【００６０】
本実施形態によれば、クライアント端末５Ｂに画像形成装置３のプリンタドライバをインストールする際、画像形成装置３について共有設定されている場合、ピアツーピア等を指定してインストールすることが禁止される。これにより、サーバ端末５Ａの管理外で画像形成装置３が使用されることを抑制することが可能である。
【００６１】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００６２】
（１）上記実施形態では、複合機としての画像形成装置３を例に挙げて説明したが、本発明はこれに限られない。印刷処理、スキャナ処理やファクシミリ通信処理などの画像処理のうち少なくともいずれか１つを実行可能な画像処理装置であればよい。
【００６３】
（２）上記実施形態では、画像形成装置３の全機能についてまとめて共有設定する例を説明したが、本発明はこれに限られない。印刷処理、スキャナ処理、ファクシミリ通信処理等の少なくとも１つを選択して共有設定する場合であってもよい。例えば印刷処理のみについて共有設定されている場合、サーバ端末５Ａを経由しない実行指令に基づく印刷処理は禁止されるが、他の処理についてはサーバ端末５Ａを経由した実行指令であるか否かにかかわらず許可されることになる。
【００６４】
（３）共有設定に関する情報（サーバ端末５Ａを経由しない実行指令に基づく画像処理を許可しない不許可情報）は、サーバ端末５Ａに記憶されていてもよいが、画像形成装置３の例えばＮＶＲＡＭ１７（記憶部）に記憶しておくことが好ましい。そうすれば、画像形成装置３は、サーバ端末５Ａとの通信が不能な場合であっても、自己が記憶する上記不許可情報に基づき共有設定されているか否かを単独で判断し、サーバ端末５Ａの管理外で画像形成装置３が使用されることを抑制することが可能である。
【００６５】
（４）例えば画像形成装置３のローカルポートにサーバ端末５Ａが接続されている場合、それ以外のポート（プリンタポートやネットワークポート  本発明の「管理端末と接続されていない通信部」の一例）を無効化するようにしてもよい。
【符号の説明】
【００６６】
３...画像形成装置（画像処理装置）
５...通信端末
１１...ＣＰＵ（判断部、制御部）
１７...ＮＶＲＡＭ（記憶部）
２３...印刷部（実行部）
２５...スキャナ部（実行部）
２７...ファクシミリ部（実行部）
２９...通信部
【図１】
2010198334.tif 000003
【図２】
2010198334.tif 000004
【図３】
2010198334.tif 000005
【図４】
2010198334.tif 000006
【図５】
2010198334.tif 000007
【図６】
2010198334.tif 000008